(57)【要約】【課題】表示品位の劣化を抑制することが可能な表示装置を提供する。【解決手段】表示光を出射する表示部と、第１直線偏光を透過する透過軸を有し、前記透過軸と交差する第２直線偏光を反射する光学素子と、前記表示光を再帰反射する再帰反射素子と、を備え、前記再帰反射素子は、第１平面を有する第１部分及び第２平面を有する第２部分と、前記第１平面と前記第２平面との間に配置される第３部分と、を有し、前記第１平面及び前記第２平面のなす角度は０°より大きく１８０°より小さい、表示装置。【選択図】図１
2018132712.tif 000002
【特許請求の範囲】
【請求項１】
表示光を出射する表示部と、
第１直線偏光を透過する透過軸を有し、前記透過軸と交差する第２直線偏光を反射する光学素子と、
前記表示光を再帰反射する再帰反射素子と、を備え、
前記再帰反射素子は、
第１平面を有する第１部分及び第２平面を有する第２部分と、
前記第１平面と前記第２平面との間に配置される第３部分と、を有し、
前記第１平面及び前記第２平面のなす角度は０°より大きく１８０°より小さい、表示装置。
【請求項２】
前記表示部及び前記再帰反射素子は第１方向に並び、前記表示部及び前記再帰反射素子のなす角度は０°より大きく１８０°より小さく、
前記第１平面及び前記第２平面は前記第１方向に交差する第２方向に並び、前記第１平面及び前記第２平面のなす角度は鋭角である、請求項１に記載の表示装置。
【請求項３】
前記第３部分は、直線状、又は、多角形状である、請求項１又は２に記載の表示装置。
【請求項４】
表示光を出射する表示部と、
第１直線偏光を透過する透過軸を有し、前記透過軸と交差する第２直線偏光を反射する光学素子と、
前記表示光を再帰反射する再帰反射素子と、を備え、
前記再帰反射素子は、
凹状の第１部分及び凹状の第２部分と、
前記第１部分と前記第２部分との間に配置された凸状の第３部分と、を有する表示装置。
【請求項５】
前記表示部及び前記再帰反射素子は第１方向に並び、前記表示部及び前記再帰反射素子のなす角度は０°より大きく１８０°より小さく、
前記第１部分、前記第３部分、及び、前記第２部分は、この順に、前記第１方向に交差する第２方向に並んでいる、請求項４に記載の表示装置。
【請求項６】
さらに、第１直線偏光を透過する透過軸を有し、前記透過軸と交差する第２直線偏光を反射する光学素子を備え、
前記第１部分は、前記第３部分よりも前記光学素子側に第１端部を有し、
前記第２部分は、前記第３部分よりも前記光学素子側に第２端部を有し、
前記第１端部及び前記第２端部は第２方向に並び、
第１位置における前記第１端部と前記第２端部との前記第２方向に沿った第１間隔は、前記第１位置よりも前記表示部から離間した第２位置における前記第１端部と前記第２端部との前記第２方向に沿った第２間隔よりも大きい、請求項１乃至５の何れか１項に記載の表示装置。
【請求項７】
前記第１間隔は、前記第３部分の前記第２方向に沿った幅より大きい、請求項６に記載の表示装置。
【請求項８】
前記第１端部及び前記第２端部の各々は、単一の直線状、又は、単一の曲線状に形成されている、請求項６に記載の表示装置。
【請求項９】
前記第１平面は、前記再帰反射素子の面積の約４０％以上であり、前記第２平面は、前記再帰反射素子の面積の約４０％以上である、請求項１乃至８の何れか１項に記載の表示装置。
【発明の詳細な説明】
【技術分野】
【０００１】
本発明の実施形態は、表示装置に関する。
【背景技術】
【０００２】
例えば、偏光フィルタと、再帰反射プリズムとを備えた結像装置が提案されている。この結像装置では、表示画像を表す像である実像は、表示画像を表す表示光の出射点と、偏光フィルタについて面対称の位置に結像される。ここで、表示画像の可視範囲を広げるために、例えば、再帰反射プリズムを湾曲させる技術が知られている。
【先行技術文献】
【特許文献】
【０００３】
【特許文献１】特開２０１１−２５３１２８号公報
【特許文献２】米国特許出願公開第２０１５／０１５３５７７Ａ１号明細書
【発明の概要】
【発明が解決しようとする課題】
【０００４】
本実施形態の目的は、表示品位の劣化を抑制することが可能な表示装置を提供することにある。
【課題を解決するための手段】
【０００５】
本実施形態によれば、表示光を出射する表示部と、第１直線偏光を透過する透過軸を有し、前記透過軸と交差する第２直線偏光を反射する光学素子と、前記表示光を再帰反射する再帰反射素子と、を備え、前記再帰反射素子は、第１平面を有する第１部分及び第２平面を有する第２部分と、前記第１平面と前記第２平面との間に配置される第３部分と、を有し、前記第１平面及び前記第２平面のなす角度は０°より大きく１８０°より小さい、表示装置が提供される。
【０００６】
本実施形態によれば、表示光を出射する表示部と、第１直線偏光を透過する透過軸を有し、前記透過軸と交差する第２直線偏光を反射する光学素子と、前記表示光を再帰反射する再帰反射素子と、を備え、前記再帰反射素子は、凹状の第１部分及び凹状の第２部分と、前記第１部分と前記第２部分との間に配置された凸状の第３部分と、を有する表示装置が提供される。
【図面の簡単な説明】
【０００７】
【図１】図１は、本実施形態の表示装置の一構成例を示す斜視図である。
【図２】図２は、図１に示した表示装置の各部材の関係を示す模式図である。
【図３】図３は、図１に示したＩ−ＩＩ線で切断した再帰反射素子の構成を示す断面図である。
【図４】図４は、再帰反射素子の光学性能を示す図である。
【図５】図５は、再帰反射素子と観察者との位置関係を示す図である。
【図６】図６は、図２に示した表示パネルの一構成例を示す図である。
【図７】図７は、図２に示した表示パネルの一構成例を示す断面図である。
【図８】図８は、図２に示した再帰反射素子の一構成例を示す平面図である。
【図９】図９は、図８に示した再帰反射体の一構成例を示す斜視図である。
【図１０】図１０は、表示装置を構成する各構成の機能を説明するための図である。
【図１１】図１１は、本実施形態に係る再帰反射素子の実施例を示す図である。
【図１２】図１２は、図１１に示したＩＩＩ−ＩＶ線で切断した再帰反射素子の構成を示す断面図である。
【図１３】図１３は、図１１に示したＩＩＩ−ＩＶ線で切断した再帰反射素子の実施例を示す断面図である。
【図１４】図１４は、図１１に示したＩＩＩ−ＩＶ線で切断した再帰反射素子の実施例を示す断面図である。
【図１５】図１５は、本実施形態に係る再帰反射素子の実施例を示す図である。
【図１６】図１６は、図１に示した表示装置の各部材の関係の実施例を示す模式図である。
【図１７】図１７は、図１６に示した表示装置を構成する各構成の機能を説明するための図である。
【発明を実施するための形態】
【０００８】
以下、本実施形態について、図面を参照しながら説明する。なお、開示はあくまで一例に過ぎず、当業者において、発明の主旨を保っての適宜変更について容易に想到し得るものについては、当然に本発明の範囲に含有されるものである。また、図面は、説明をより明確にするため、実際の態様に比べて、各部の幅、厚さ、形状等について模式的に表される場合があるが、あくまで一例であって、本発明の解釈を限定するものではない。また、本明細書と各図において、既出の図に関して前述したものと同一又は類似した機能を発揮する構成要素には同一の参照符号を付し、重複する詳細な説明を適宜省略することがある。
【０００９】
図１は、本実施形態の表示装置１の一構成例を示す斜視図である。すなわち、表示装置１は、筐体２、光学素子１０、表示部ＤＳＰ、再帰反射素子２０などを備えている。図１は、第１方向Ｄ１と、第１方向Ｄ１に交差する第２方向Ｄ２と、第１方向Ｄ１及び第２方向Ｄ２に交差する第３方向Ｄ３とによって規定される三次元空間を示している。図示した例では、第１方向Ｄ１、第２方向Ｄ２、及び、第３方向Ｄ３は、互いに直交している。
【００１０】
なお、本実施形態においては、第１方向Ｄ１及び第２方向Ｄ２で規定される平面をＤ１−Ｄ２平面とし、第２方向Ｄ２及び第３方向Ｄ３で規定される平面をＤ２−Ｄ３平面とし、第１方向Ｄ１及び第３方向Ｄ３で規定される平面をＤ１−Ｄ３平面とする。また、本実施形態においては、第３方向Ｄ３の正の向きを上又は上方と定義し、第３方向Ｄ３の負の向きを下又は下方と定義する。
【００１１】
筐体２は、再帰反射素子２０及び表示部ＤＳＰを収容している。図示した例では、筐体２は、上側に開口した形状を有している。光学素子１０は、Ｄ１―Ｄ２平面に沿って筐体２の上に配置されている。図示した例では、光学素子１０は、Ｄ１―Ｄ２平面において矩形状に形成されているが、他の形状に形成されていてもよい。
【００１２】
表示部ＤＳＰは、円偏光又は直線偏光である表示光を光学素子１０に向けて出射する出射面ＥＳを備えている。図示した例では、出射面ＥＳは、Ｄ２−Ｄ３平面に対して傾斜している。すなわち、表示部ＤＳＰは、出射面ＥＳが光学素子１０側を向くように傾斜している。なお、表示部ＤＳＰは、Ｄ２−Ｄ３平面に対して平行に配置されていてもよい。なお、本実施形態において、表示光とは表示部ＤＳＰから出射された光を指す。
【００１３】
再帰反射素子２０は、光学素子１０で反射された表示光を再帰反射する。再帰反射素子２０は、第１部分Ｐ１と、第２部分Ｐ２と、第１部分Ｐ１と第２部分Ｐ２との間の第３部分Ｐ３と、を有している。第１部分Ｐ１は、光学素子１０と対向する側に第１平面ＳＦ１を有している。第１平面ＳＦ１は、第１方向Ｄ１、第２方向Ｄ２、及び、第３方向Ｄ３のすべてと交差する傾斜面である。第１平面ＳＦ１は、Ｄ１−Ｄ２平面に対して第２部分Ｐ２側を向くように傾斜している。また、第１平面ＳＦ１は、Ｄ１−Ｄ２平面に対して表示部ＤＳＰ側を向くように傾斜している。第２部分Ｐ２は、光学素子１０と対向する側に第２平面ＳＦ２を有している。第２平面ＳＦ２は、第１方向Ｄ１、第２方向Ｄ２、及び、第３方向Ｄ３のすべてと交差する傾斜面である。第２平面ＳＦ２は、Ｄ１−Ｄ２平面に対して第１部分Ｐ１側を向くように傾斜している。また、第２平面ＳＦ２は、Ｄ１−Ｄ２平面に対して表示部ＤＳＰ側を向くように傾斜している。第３部分Ｐ３は、図示した例では直線状である。第３部分Ｐ３は、第１部分Ｐ１と第２部分Ｐ２とを接続する部分に相当し、形状は特に限定されない。後述するが、第３部分Ｐ３は、表示部ＤＳＰ側に底辺を有する三角形状、表示部ＤＳＰ側に下底を有し表示部ＤＳＰ側とは反対側に下底より短い上底を有する台形状などの多角形状であっても良い。  
なお、図１に示す第１平面ＳＦ１及び第２平面ＳＦ２は、交線で交わっており、当該交線は直線状の第３部分Ｐ３であると言える。また第３部分Ｐ３が線状でなく、多角形状の場合は、第１平面ＳＦ１及び第２平面ＳＦ２との間に別の面が配置され、当該別の面が多角形状の第３部分Ｐ３であると言える。  
【００１４】
図示した例では、第１部分Ｐ１は、表示部ＤＳＰ側の端部ＥＧ１１と、表示部ＤＳＰ側とは反対側の端部ＥＧ１２と、を有している。第２部分Ｐ２は、表示部ＤＳＰ側の端部ＥＧ２１と、表示部ＤＳＰ側とは反対側の端部ＥＧ２２と、を有している。端部ＥＧ１１及びＥＧ２１は、出射面ＥＳに接していてもよい。また、端部ＥＧ１２及びＥＧ２２は、筐体２に接していてもよい。端部ＥＧ１１、ＥＧ１２、ＥＧ２１、ＥＧ２２は、例えば、略直線状に形成されている。また、第１部分Ｐ１は、第３部分Ｐ３とは反対側の端部ＥＧ１を有している。第２部分Ｐ２は、第３部分Ｐ３とは反対側の端部ＥＧ２を有している。図１に示したように、端部ＥＧ１及びＥＧ２は、単一の直線状に形成されている。
【００１５】
なお、表示部ＤＳＰは、端部ＥＧ１１と端部ＥＧ２１との間の領域において表示光を出射するものであり、例えば、端部ＥＧ１１と端部ＥＧ２１との間から表示光を出射する表示パネル等を備えている。
また、第１平面ＳＦ１は、再帰反射素子２０の総面積の約４０％以上であり、第２平面ＳＦ２は、再帰反射素子２０の総面積の約４０％以上である。ここで、図１に示した例では、再帰反射素子２０の総面積は、第１平面ＳＦ１の面積と第２平面ＳＦ２の面積の和に相当する。
【００１６】
図２は、図１に示した表示装置１の各部材の関係を示す模式図である。  
光学素子１０は、第１直線偏光を透過する透過軸を有し、透過軸に交差する第２直線偏光を反射する。例えば、第１直線偏光は入射面に平行なＰ波であり、第２直線偏光は入射面に垂直なＳ波である。このような光学素子１０は、例えばワイヤグリッド偏光フィルタや、輝度上昇フィルムを適用した反射型偏光フィルムや、この反射型偏光フィルムと直線偏光板とを重ねた多層体などによって構成されている。光学素子１０が上記の多層体によって構成される場合、直線偏光板は、反射型偏光フィルムの上に配置され、しかも、反射型偏光フィルムの透過軸と平行な透過軸を有する。
【００１７】
表示部ＤＳＰは、図２に示した構成においては、第２直線偏光の表示光を光学素子１０に向けて出射する。図示した例では、表示部ＤＳＰは、表示パネルＰＮＬを備えている。すなわち、表示パネルＰＮＬは、表示画像Ｉ０を表す表示光を出射し、このとき、表示光は第２直線偏光である。
【００１８】
表示パネルＰＮＬは、一例としては、一対の基板間に液晶層を保持した液晶表示パネルであり、液晶表示パネルの出射側に第２直線偏光を透過する透過軸を有した偏光板を備えている。但し、表示パネルＰＮＬは、有機エレクトロルミネッセンス素子等を有する自発光型の表示パネル、電気泳動素子等を有する電子ペーパ型の表示パネル、マイクロエレクトロメカニカルシステム（ＭＥＭＳ）を適用した表示パネル、或いはエレクトロクロミズムを適用した表示パネルなどであっても良い。液晶表示パネルは、光源装置からの光を選択的に透過させることで画像を表示する透過型であっても良いし、外光あるいは光源装置からの光を選択的に反射させることで画像を表示させる反射型であっても良いし、透過型及び反射型の双方の表示機能を備えた半透過型であっても良い。
【００１９】
なお、表示部ＤＳＰは、表示パネルに代えて、プロジェクタから出射された出射光が投影されるスクリーンを備えていても良いし、照明装置によって照明される表示媒体（ポスターなど）を備えていても良い。
【００２０】
再帰反射素子２０は、光学素子１０と対向する表面２０Ａと、表面２０Ａとは反対側の裏面２０Ｂと、を有している。図示した例では、表面２０Ａは、平坦面である。ここで、表面２０Ａは、図１に示した第１平面ＳＦ１または第２平面ＳＦ２に相当する。裏面２０Ｂは、凹部ＣＣ及び凸部ＣＶを有する凹凸面である。凸部ＣＶは、光学素子１０とは反対側に向かって突出している。Ｄ１−Ｄ３平面における再帰反射素子２０の断面に着目すると、図示した例では、表面２０Ａ（すなわち第１平面ＳＦ１または第２平面ＳＦ２）は、第１方向Ｄ１に対して０°より大きく９０°より小さい角度θ１１をもって配置されている。
【００２１】
再帰反射素子２０は、例えば、樹脂材料によって形成されている。再帰反射素子２０は、樹脂材料と空気との界面において表示光を再帰反射させる。再帰反射素子２０に入射した入射光のほとんどは、裏面２０Ｂを透過することなく、裏面２０Ｂにおいて再帰反射もしくは散乱される。なお、図１６で後述するように、凹凸面を覆う反射膜が形成されていても良い。
【００２２】
位相差板ＲＡは、再帰反射素子２０の表面２０Ａ側に配置されている。このような位相差板ＲＡは、例えば、透過光に約λ／４の位相差を付与するλ／４板である。ここで、λは、透過光の波長である。詳細については省略するが、位相差板ＲＡは、その遅相軸が直線偏光の偏光面に対して４５°の角度で交差するように配置される。図示した例では、位相差板ＲＡは、表面２０Ａに接着されているが、表面２０Ａから離れて配置されていても良い。
【００２３】
なお、図中において、空中像（aerial image）Ｉ１は、表示画像Ｉ０の実像に相当し、光学素子１０について面対称の位置に結像される。空中像Ｉ１を構成する光は、光学素子１０を透過した第１直線偏光である。
【００２４】
表示部ＤＳＰ及び再帰反射素子２０は、第１方向Ｄ１に沿って並んでいる。ここで、本実施形態において、表示部ＤＳＰ及び再帰反射素子２０のなす角度θ１は、０°より大きく１８０°より小さい。より具体的には、なす角度θ１とは、出射面ＥＳと表面２０Ａとのなす角度に相当する。
【００２５】
図３は、図１に示したＩ−ＩＩ線で切断した再帰反射素子２０の構成を示す断面図である。  
第１平面ＳＦ１及び第２平面ＳＦ２は、第２方向Ｄ２に沿って並んでいる。ここで、本実施形態においては、第１平面ＳＦ１及び第２平面ＳＦ２のなす角度θ２は、０°より大きく１８０°より小さい。また、例えば、第１平面ＳＦ１及び第２平面ＳＦ２のなす角度θ２は、鋭角である。第１平面ＳＦ１は、第３方向Ｄ３に対して０°より大きく９０°より小さい角度θ１２をもって配置されている。第２平面ＳＦ２は、第３方向Ｄ３に対して０°より大きく９０°より小さい角度θ１３をもって配置されている。角度θ１２及び角度θ１３は、一致していてもよいし、異なっていてもよい。
【００２６】
第１部分Ｐ１は、端部（第１端部）ＥＧ１を有し、第２部分Ｐ２は、端部（第２端部）ＥＧ２を有している。端部ＥＧ１は、第３方向Ｄ３において、第３部分Ｐ３よりも光学素子１０側に位置している。端部ＥＧ２は、第３方向Ｄ３において、第３部分Ｐ３よりも光学素子１０側に位置している。
端部ＥＧ１及びＥＧ２の各々は、第２方向Ｄ２に沿って間隔をおいて並んでいる。また、図示した例では、第３部分Ｐ３の第２方向Ｄ２に沿った幅は０である。すなわち、端部ＥＧ１と端部ＥＧ２との第２方向Ｄ２に沿った間隔Ｌ１は、第３部分Ｐ３の第２方向Ｄ２に沿った幅より大きい。
【００２７】
なお、図２及び図３に示した例では、表面２０Ａが平坦面であり、裏面２０Ｂが凹凸面であるが、後述するように、表面２０Ａが凹凸面であり、裏面２０Ｂが平坦面であっても良い。図３に示した例では、裏面２０Ｂにおいて、各凸部ＣＶの先端は、平面ＰＬ上にそろって位置している。そのため、裏面２０Ｂも平面とみなすことができ、第２部分Ｐ２は平板状であるとみなすことができる。第１部分Ｐ１についても同様である。また、後述するように、表面２０Ａが凹凸面である場合にも、表面２０Ａにおいて、各凸部ＣＶの先端は、平面上にそろって位置するため、表面２０Ａが第１平面ＳＦ１及び第２平面ＳＦ２であるとみなすことができる。また、第１部分Ｐ１及び第２部分Ｐ２は、平板状であるとみなすことができる。
【００２８】
図４は、再帰反射素子２０の光学性能を示す図である。以下で説明する再帰反射素子２０に入射した光の入射角、及び、再帰反射素子２０で再帰反射された光の反射角は、再帰反射素子２０の法線Ｎに対するなす角度である。  
図４（ａ）は、入射光ＬＴ１が入射角αで再帰反射素子２０に入射した場合を示している。図４（ａ）においては、入射角αは約３０°である。図４（ｂ）は、図４（ａ）に示した再帰反射された光ＬＴ２及びＬＴ３の反射角の分布を示している。図４（ｃ）は、入射光ＬＴ１が入射角βで再帰反射素子２０に入射した場合を示している。図４（ｃ）においては、入射角βは約６０°である。図４（ｄ）は、図４（ｃ）に示した再帰反射された光ＬＴ２及びＬＴ３の反射角の分布を示している。
【００２９】
図４（ａ）及び図４（ｃ）において、再帰反射される光のうち、反射光ＬＴ２は、入射光ＬＴ１の入射角と同一の反射角で反射された光を示している。また、反射光ＬＴ３は、入射光ＬＴ１の入射角とは異なる反射角で反射された光を示している。反射光ＬＴ３は、再帰反射光のうちの拡散成分に相当する。図４（ｂ）及び図４（ｄ）において、横軸は、反射光の反射角を示しており、縦軸は、反射光の反射光強度を示している。反射光ＬＴ２の反射光強度は最大となり、反射光ＬＴ３の反射光強度は反射光ＬＴ２の反射光強度よりも小さい。
【００３０】
図４に示した例では、入射角αより入射角βが大きい。また、図４（ｂ）及び図４（ｄ）を比較すると、反射光ＬＴ３の分布は、入射角αの場合よりも入射角βの場合の方がより広範囲の角度に亘っている。このとき、反射光ＬＴ２の強度は、入射角βの場合よりも入射角αの場合の方が大きい。これより、入射角が大きいほど再帰反射する反射光ＬＴ２の反射光強度が小さくなることが読み取れる。また、入射角が大きいほど、反射光ＬＴ３の反射角の範囲が大きくなり、拡散成分が増えるため、空中像の表示品位を低下させる恐れがある。
【００３１】
図５は、再帰反射素子２０と観察者Ａ及びＢとの位置関係を示す図である。ここでは、第２方向Ｄ２に並んだ２か所の観察位置から表示装置を観察している場合を想定する。観察者Ａは観察位置ＯＢ１に位置し、観察者Ｂは観察位置ＯＢ２に位置している。  
第２方向Ｄ２において、観察者Ａは第１部分Ｐ１側に位置し、観察者Ｂは第２部分Ｐ２側に位置している。観察者Ａは、第２部分Ｐ２に投影された表示光によって形成された像ＩＭ２を観察する。観察者Ｂは、第１部分Ｐ１に投影された表示光によって形成された像ＩＭ１を観察する。第１平面ＳＦ１及び第２平面ＳＦ２と観察者Ａ及びＢの位置関係に着目する。第１平面ＳＦ１及び第２平面ＳＦ２は、表示部ＤＳＰに近接する第１位置ＰＴ１における端部ＥＧ１及びＥＧ２の第２方向Ｄ２に沿った間隔Ｌ１が第１位置ＰＴ１よりも表示部ＤＳＰから離間した第２位置ＰＴ２における端部ＥＧ１及びＥＧ２の第２方向Ｄ２に沿った間隔Ｌ２よりも大きくなるように配置されている。第１平面ＳＦ１は、観察者Ｂ側を向いている。そのため、第１平面ＳＦ１がＤ１−Ｄ２平面と平行に配置される場合と比較して、観察者Ｂが視認できる第１平面ＳＦ１の面積が拡大し、観察者Ｂは、像ＩＭ１が欠けることなく観察することができる。また、第２平面ＳＦ２は、観察者Ａ側を向いている。そのため、第２平面ＳＦ２がＤ１−Ｄ２平面と平行に配置される場合と比較して、観察者Ａが視認できる第２平面ＳＦ２の面積が拡大し、観察者Ａは、像ＩＭ２が欠けることなく観察することができる。
【００３２】
本実施形態によれば、第１平面ＳＦ１及び第２平面ＳＦ２は、０°より大きく１８０°より小さい角度を形成するように配置されている。すなわち、第１平面ＳＦ１及び第２平面ＳＦ２は、互いに異なる方向を向いている。そのため、２点から表示装置１が観察された場合にも、再帰反射素子２０の端部ＥＧ１及びＥＧ２において画像ＩＭ１及びＩＭ２が欠けて視認されるのを抑制することができる。
【００３３】
また、本実施形態においては、再帰反射素子２０がＤ１−Ｄ３平面と平行に配置された場合と比べて、視認される反射光の再帰反射素子２０に対する反射角は、小さくなる。図４に示したように、反射角が大きいほどより拡散光が増加する恐れがある。そのため、本実施形態では表示光の再帰反射素子２０による拡散が視認されるのを低減させることができる。したがって、散乱光による空中像の輝度低下を抑制することができる。また、散乱光による空中像の鮮鋭度の低下を抑制することができる。よって、表示品位の劣化を抑制することができる。
また、本実施形態においては、表示装置ＤＳＰは、１つの連続した第１部分Ｐ１に像ＩＭ１を形成し、１つの連続した第２部分Ｐ２に像ＩＭ２を形成することができる。すなわち、再帰反射素子２０がＤ１−Ｄ３平面と平行に配置された場合と比べて、像ＩＭ１及びＩＭ２が第１部分Ｐ１、第２部分Ｐ２、第３部分Ｐ３等のそれぞれの境界に重ならない。そのため、像ＩＭ１及びＩＭ２を形成する再帰反射素子２０の光学特性が不連続に変化することがない。したがって、像ＩＭ１及びＩＭ２は一定の光学特性を有する画像として形成され、表示品位の劣化を抑制することができる。
【００３４】
次に、各構成の具体例について以下に説明する。
【００３５】
図６は、図２に示した表示パネルＰＮＬの一構成例を示す図である。図６は、第４方向Ｄ４と、第４方向Ｄ４に交差する第５方向Ｄ５とによって規定される平面を示している。図示した例では、第４方向Ｄ４及び第５方向Ｄ５は、互いに直交している。
【００３６】
ここでは、表示パネルＰＮＬの一例として、アクティブマトリクス駆動方式の透過型液晶表示パネルについて説明する。すなわち、表示パネルＰＮＬは、第１基板ＳＵＢ１と、第１基板ＳＵＢ１に対向した第２基板ＳＵＢ２と、第１基板ＳＵＢ１と第２基板ＳＵＢ２との間に保持された液晶層ＬＱと、を備えている。第１基板ＳＵＢ１と第２基板ＳＵＢ２とは、これらの間に所定のセルギャップを形成した状態で貼り合わせられている。表示パネルＰＮＬは、画像を表示する表示エリアＤＡを備えている。表示エリアＤＡは、マトリクス状に配置された複数のサブピクセルＰＸを有している。
【００３７】
表示エリアＤＡは、サブピクセルＰＸとして、例えば赤色を表示する赤画素ＰＸＲ、緑色を表示する緑画素ＰＸＧ、及び、青色を表示する青画素ＰＸＢを有している。なお、表示エリアＤＡは、さらに、赤、緑、青とは異なる色のサブピクセル（例えば白色を表示する白画素）を有していても良い。カラー表示を実現するための画素は、これらの複数の異なる色のサブピクセルＰＸによって構成されている。すなわち、ここでの画素とは、カラー画像を構成する最小単位である。図示した例では、画素は、赤画素ＰＸＲ、緑画素ＰＸＧ、及び、青画素ＰＸＢによって構成されている。
【００３８】
赤画素ＰＸＲは、赤色カラーフィルタを備え、光源装置からの白色光のうち主として赤色光を透過可能に構成されている。緑画素ＰＸＧは、緑色カラーフィルタを備え、光源装置からの白色光のうち主として緑色光を透過可能に構成されている。青画素ＰＸＢは、青色カラーフィルタを備え、光源装置からの白色光のうち主として青色光を透過可能に構成されている。なお、詳述しないが、カラーフィルタは、第１基板ＳＵＢ１に形成されていても良いし、第２基板ＳＵＢ２に形成されていても良い。
【００３９】
第１基板ＳＵＢ１は、第４方向Ｄ４に沿って延出した複数のゲート配線Ｇ、及び、第５方向Ｄ５に沿って延出しゲート配線Ｇと交差する複数のソース配線Ｓを備えている。各ゲート配線Ｇは、表示エリアＤＡの外側に引き出され、ゲートドライバＧＤに接続されている。各ソース配線Ｓは、表示エリアＤＡの外側に引き出され、ソースドライバＳＤに接続されている。これらのゲートドライバＧＤ及びソースドライバＳＤは、コントローラＣＮＴに接続されている。コントローラＣＮＴは、映像信号に基づいて制御信号を生成して、ゲートドライバＧＤ及びソースドライバＳＤを制御する。
【００４０】
各サブピクセルＰＸは、スイッチング素子ＳＷ、画素電極ＰＥ、共通電極ＣＥなどを備えている。スイッチング素子ＳＷは、ゲート配線Ｇ及びソース配線Ｓに電気的に接続されている。このようなスイッチング素子ＳＷは、例えば薄膜トランジスタによって構成されている。画素電極ＰＥは、スイッチング素子ＳＷに電気的に接続されている。共通電極ＣＥは、複数の画素電極ＰＥとそれぞれ対向している。
【００４１】
なお、表示パネルＰＮＬの詳細な構成については説明を省略するが、基板主面の法線に沿った縦電界を利用する表示モード、あるいは、基板主面の法線に対して斜め方向に傾斜した傾斜電界を利用する表示モードでは、画素電極ＰＥが第１基板ＳＵＢ１に備えられる一方で、共通電極ＣＥが第２基板ＳＵＢ２に備えられる。また、基板主面に沿った横電界を利用する表示モードでは、画素電極ＰＥ及び共通電極ＣＥの双方が第１基板ＳＵＢ１に備えられている。さらには、表示パネルＰＮＬは、上記の縦電界、横電界、及び、傾斜電界を適宜組み合わせて利用する表示モードに対応した構成を有していても良い。なお、基板主面とは、第４方向Ｄ４及び第５方向Ｄ５によって規定される平面に相当する。
【００４２】
図７は、図２に示した表示パネルＰＮＬの一構成例を示す断面図である。ここでは、横電界を利用する表示モードの一つであるＦＦＳ（Ｆｒｉｎｇｅ  Ｆｉｅｌｄ  Ｓｗｉｔｃｈｉｎｇ）モードを適用した表示パネルＰＮＬの断面構造について簡単に説明する。
【００４３】
第１基板ＳＵＢ１は、第１絶縁基板１００、第１絶縁膜１１０、共通電極ＣＥ、第２絶縁膜１２０、画素電極ＰＥ１乃至ＰＥ３、第１配向膜ＡＬ１などを備えている。共通電極ＣＥは、赤画素ＰＸＲ、緑画素ＰＸＧ、及び、青画素ＰＸＢに亘って延在している。赤画素ＰＸＲの画素電極ＰＥ１、緑画素ＰＸＧの画素電極ＰＥ２、青画素ＰＸＢの画素電極ＰＥ３のそれぞれは、共通電極ＣＥと対向し、それぞれスリットＳＬＡを有している。図示した例では、共通電極ＣＥは第１絶縁膜１１０と第２絶縁膜１２０との間に位置し、画素電極ＰＥ１乃至ＰＥ３は第２絶縁膜１２０と第１配向膜ＡＬ１との間に位置している。なお、画素電極ＰＥ１乃至ＰＥ３が第１絶縁膜１１０と第２絶縁膜１２０との間に位置し、共通電極ＣＥが第２絶縁膜１２０と第１配向膜ＡＬ１との間に位置していても良い。この場合、スリットＳＬＡは、共通電極ＣＥに形成される。
【００４４】
第２基板ＳＵＢ２は、第２絶縁基板２００、遮光層ＢＭ、カラーフィルタＣＦＲ、ＣＦＧ、ＣＦＢ、オーバーコート層ＯＣ、第２配向膜ＡＬ２などを備えている。カラーフィルタＣＦＲ、ＣＦＧ、ＣＦＢは、それぞれ液晶層ＬＱを挟んで画素電極ＰＥ１乃至ＰＥ３と対向している。カラーフィルタＣＦＲは赤色のカラーフィルタであり、カラーフィルタＣＦＧは緑色のカラーフィルタであり、カラーフィルタＣＦＢは青色のカラーフィルタである。なお、図示した例では、カラーフィルタＣＦＲ、ＣＦＧ、ＣＦＢは、第２基板ＳＵＢ２に形成されたが、第１基板ＳＵＢ１に形成されても良い。
【００４５】
液晶層ＬＱは、第１配向膜ＡＬ１と第２配向膜ＡＬ２との間に封入されている。
【００４６】
光源装置ＬＳは、第１基板ＳＵＢ１と対向している。光源装置ＬＳとしては、種々の形態が適用可能であるが、詳細な構造については説明を省略する。
【００４７】
第１偏光板ＰＬ１を含む第１光学素子ＯＤ１は、第１絶縁基板１００の外面に配置されている。第２偏光板ＰＬ２を含む第２光学素子ＯＤ２は、第２絶縁基板２００の外面に配置されている。例えば、第１偏光板ＰＬ１の第１吸収軸及び第２偏光板ＰＬ２の第２吸収軸は、直交している。
【００４８】
赤画素ＰＸＲ、緑画素ＰＸＧ、及び、青画素ＰＸＢによって構成された画素は、ピッチＰＣ１で配列されている。
【００４９】
図８は、図２に示した再帰反射素子２０の一構成例を示す平面図である。ここでは、互いに直交する第６方向Ｄ６及び第７方向Ｄ７によって規定される平面での平面図を図示している。また、図８は、図２に示した再帰反射素子２０を裏面２０Ｂ側から見た平面図を示している。
【００５０】
再帰反射素子２０は、複数の再帰反射体２３によって構成されている。再帰反射体２３は、表示光を再帰反射する。図示した平面図においては、再帰反射体２３は、正三角形状の外形を有する。また、再帰反射体２３は、その中心Ｏが紙面の手前に向かって突出し、図２に示した裏面２０Ｂの凸部ＣＶを形成している。また、隣接する再帰反射体２３の境界は、図８に点線で示し、図２に示した裏面２０Ｂの凹部ＣＣに相当する。このような再帰反射体２３は、第６方向Ｄ６に配列されている。また、再帰反射体２３は、第７方向Ｄ７にピッチＰＣ２で配列されている。但し、第６方向Ｄ６及び第７方向Ｄ７にそれぞれ隣り合う再帰反射体２３は、互いに１８０度反転した形状を有している。
【００５１】
図中の再帰反射体２３１は、互いに直交する３つの反射面Ａ１，Ｂ１，Ｃ１を備えている。再帰反射体２３１は、反射面Ａ１，Ｂ１，Ｃ１によって囲まれた凸部ＣＶ１を備えている。再帰反射体２３１及び再帰反射体２３２は、第７方向Ｄ７に並んでいる。再帰反射体２３２は、互いに直交する３つの反射面Ａ２，Ｂ２，Ｃ２を備えている。再帰反射体２３２は、反射面Ａ２，Ｂ２，Ｃ２によって囲まれた凸部ＣＶ２を備えている。再帰反射体２３１の反射面Ａ１と再帰反射体２３２の反射面Ａ２との交差部は、裏面２０Ｂの凹部ＣＣＡを形成している。凹部ＣＣＡは、第６方向Ｄ６と平行な方向に延出している。再帰反射体２３１及び再帰反射体２３２は、凹部ＣＣＡに対して線対称の位置関係にある。同様に、隣接する再帰反射体２３の境界部分は、凹部に相当する。つまり、再帰反射体２３の各々の外形（三角形）は、凹部によって規定される。再帰反射体２３１の外形は、凹部ＣＣＡ、ＣＣＢ、ＣＣＣによって規定される。凹部ＣＣＢ及びＣＣＣは、いずれも第６方向Ｄ６及び第７方向Ｄ７とそれぞれ交差する方向に延出している。例えば、凹部ＣＣＢの延出方向は、第６方向Ｄ６とのなす角度θＢ６が６０度であり、第７方向Ｄ７とのなす角度θＢ７が３０度である。凹部ＣＣＣの延出方向は、第６方向Ｄ６とのなす角度θＣ６が６０度であり、第７方向Ｄ７とのなす角度θＣ７が３０度である。
【００５２】
空中像Ｉ１の解像度は、再帰反射体２３のピッチＰＣ２に依存する。解像度の劣化を抑制するためには、ピッチＰＣ２は、図７に示した表示パネルＰＮＬにおける画素のピッチＰＣ１よりも小さいことが望ましい。
【００５３】
図９は、図８に示した再帰反射体２３の一構成例を示す斜視図である。ここでは、互いに直交するｘｙｚ座標系を適用して、再帰反射体２３の形状について説明する。  
すなわち、再帰反射体２３は、ｘｙｚ座標系において、３つの反射面２３Ａ、２３Ｂ、２３Ｃを有している。これらの反射面２３Ａ乃至２３Ｃは、いずれも同一形状であり、直角二等辺三角形である。また、これらの反射面２３Ａ乃至２３Ｃは、互いに直交している。このような形状の反射面２３Ａ乃至２３Ｃを有する再帰反射体２３は、コーナーキューブ、あるいは、コーナーリフレクタなどと称される。
【００５４】
ｘ軸上の点Ａ（α，０，０）、ｙ軸上の点Ｂ（０，α，０）、ｚ軸上の点Ｃ（０，０，α）としたとき、反射面２３Ａは、ｘ−ｙ平面に形成され、中心Ｏ、点Ａ、及び、点Ｂによって規定される。反射面２３Ｂは、ｙ−ｚ平面に形成され、中心Ｏ、点Ｂ、及び、点Ｃによって規定される。反射面２３Ｃは、ｘ−ｚ平面に形成され、中心Ｏ、点Ａ、及び、点Ｃによって規定される。点Ａ及び点Ｂを結ぶ線分ＡＢ、点Ｂ及び点Ｃを結ぶ線分ＢＣ、及び、点Ａ及び点Ｃを結ぶ線分ＡＣは、上記の凹部に相当する。
【００５５】
再帰反射体２３では、入射光が３つの反射面２３Ａ乃至２３Ｃでそれぞれ反射されることによって入射光とほぼ同一の光路に反射する再帰反射を実現している。中心Ｏの近傍において３つの反射面が直交する部分は、再帰反射部に相当する。また、３つの点Ａ、点Ｂ、及び、点Ｃの近傍において２つの反射面が直交する部分は、再帰反射しない（３つの反射面で反射されない）非再帰反射部となりうる。
【００５６】
図１０は、表示装置１を構成する各構成の機能を説明するための図である。ここでは、図２を参照して、表示部ＤＳＰから出射された表示光の光路について説明する。  
表示部ＤＳＰは、表示画像Ｉ０の表示光に相当する第２直線偏光を出射する。ここでの第２直線偏光は、光学素子１０の透過軸と交差する偏光面を有するものであって、光学素子１０で反射される直線偏光に相当する。
【００５７】
光学素子１０において反射された第２直線偏光は、位相差板ＲＡを透過し円偏光に変換される。本実施形態における円偏光とは楕円偏光も含む。円偏光は、再帰反射素子２０に入射し、図９に示したような反射面２３Ａ乃至２３Ｃにおいて３回反射される。すなわち、再帰反射素子２０に入射した円偏光は再帰反射される。再帰反射された反射光は、円偏光である。そして、この円偏光は、再び、位相差板ＲＡを透過し、第１直線偏光に変換される。この第１直線偏光は、光学素子１０を透過し、表示画像Ｉ０を表す空中像Ｉ１として結像される。観察者は、光学素子１０を透過した第１直線偏光の進行方向と対向する方向から空中に浮かぶ空中像Ｉ１を観察することができる。
【００５８】
図１１は、本実施形態に係る再帰反射素子２０の実施例を示す図である。図１０は、図１と比較して、再帰反射素子２０の形状が相違している。  
再帰反射素子２０は、第１部分Ｐ１と、第２部分Ｐ２と、第１部分Ｐ１と第２部分Ｐ２との間の第３部分Ｐ３と、を有している。後述するが、Ｄ２−Ｄ３平面において、第１部分Ｐ１及び第２部分Ｐ２は、下方に凹んだ凹状に形成され、第３部分Ｐ３は、上方に突出した凸状に形成されている。
【００５９】
端部ＥＧ１１及びＥＧ２１は、表示部ＤＳＰに接していてもよい。また、端部ＥＧ１２及びＥＧ２２は、筐体２に接していてもよい。第３部分Ｐ３は、表示部ＤＳＰ側の端部ＥＧ３１と、表示部ＤＳＰ側とは反対側の端部ＥＧ３２と、を有している。端部ＥＧ３１は、表示部ＤＳＰに接していてもよい。端部ＥＧ３２は、例えば、筐体２から離間している。また、図１１に示した例では、端部ＥＧ１及び端部ＥＧ２の各々は、単一の曲線状に形成されている。
【００６０】
なお、第１部分Ｐ１、第２部分Ｐ２、及び、第３部分Ｐ３は、それぞれ第１方向Ｄ１に沿って屈曲している。すなわち、第１部分Ｐ１、第２部分Ｐ２、及び、第３部分Ｐ３は、それぞれＤ１−Ｄ３平面に沿った断面が曲線状である。また、第１部分Ｐ１、第２部分Ｐ２、及び、第３部分Ｐ３は、それぞれＤ１−Ｄ３平面に沿った断面が直線状であっても良い。
【００６１】
なお、表示部ＤＳＰは、端部ＥＧ１１、端部ＥＧ２１、及び、端部ＥＧ３１の間の領域において表示光を出射するものであり、例えば、端部ＥＧ１１、端部ＥＧ２１、及び、端部ＥＧ３１の間から表示光を出射する表示パネル等を備えている。
【００６２】
図１２は、図１１に示したＩＩＩ−ＩＶ線で切断した再帰反射素子２０の構成を示す断面図である。  
第１部分Ｐ１及び第２部分Ｐ２は、凹状に形成されている。第３部分Ｐ３は、凸状に形成されている。第１部分Ｐ１、第３部分Ｐ３、及び、第２部分Ｐ２は、この順に、第２方向Ｄ２に沿って並んでいる。
【００６３】
第１部分Ｐ１は、第３部分Ｐ３よりも光学素子１０側に端部（第１端部）ＥＧ１を有し、第２部分Ｐ２は、第３部分Ｐ３よりも光学素子１０側に端部（第２端部）ＥＧ２を有している。端部ＥＧ１及びＥＧ２は、第２方向Ｄ２に沿って間隔をおいて並んでいる。ここで、端部ＥＧ１と端部ＥＧ２との第２方向Ｄ２に沿った間隔Ｌ１は、第３部分Ｐ３の第２方向Ｄ２に沿った幅Ｗより大きい。
【００６４】
なお、図１２に示した例では、裏面２０Ｂにおいて、各凸部ＣＶの先端は、曲面ＣＳ上にそろって位置している。そのため、裏面２０Ｂを曲面とみなすことができる。また、後述するように、表面２０Ａが凹凸面である場合にも、表面２０Ａにおいて、各凸部ＣＶの先端は、曲面上にそろって位置するため、表面２０Ａが曲面であるとみなすことができる。  
このような実施例においても上記したのと同様の効果を得ることができる。
【００６５】
図１３は、再帰反射素子２０の実施例を示す断面図である。図１３は、本実施形態に係る再帰反射素子２０の実施例であり、図１２とは別の例を示す断面図である。  
図示した例では、第１部分Ｐ１及び第２部分Ｐ２は、凹状に形成され、第３部分Ｐ３は、平板状に形成されている。  
このような実施例においても上記したのと同様の効果を得ることができる。
【００６６】
図１４は、再帰反射素子２０の実施例を示す断面図である。図１４は、本実施形態に係る再帰反射素子２０の実施例であり、図１２とは別の例を示す断面図である。  
図示した例では、第１部分Ｐ１及び第２部分Ｐ２は、凹状に形成され、第３部分Ｐ３は、下方に向かった凸状に形成されている。  
このような実施例においても上記したのと同様の効果を得ることができる。
【００６７】
図１５は、本実施形態に係る再帰反射素子２０の実施例を示す図である。図１５は、図１と比較して、再帰反射素子２０が多角形状の第３部分Ｐ３を有している点で相違している。  
第３部分Ｐ３は、Ｄ１−Ｄ２平面において三角形状である。また、第３部分Ｐ２は、光学素子１０と対向する側に第３平面ＳＦ３を有している。第３平面ＳＦ３は、Ｄ１−Ｄ２平面に対して表示部ＤＳＰ側を向くように傾斜している。第３部分Ｐ３は、表示部ＤＳＰ側の端部ＥＧ３１と、表示部ＤＳＰ側とは反対側の端部ＥＧ３２と、を有している。端部ＥＧ３１は、表示部ＤＳＰに接していてもよい。端部ＥＧ３２は、筐体２に接していてもよい。端部ＥＧ３１は、略直線状に形成されている。
図１５に示す例では、第１平面ＳＦ１と第２平面ＳＦ２は、端部ＥＧ３２で接しており、端部ＥＧ３２における第１平面ＳＦ１と第２平面ＳＦ２がなす角度が、０°より大きく１８０°より小さければよい。
【００６８】
なお、表示部ＤＳＰは、端部ＥＧ１１、ＥＧ２１、及び、ＥＧ３１で囲まれた領域において表示光を出射するものであり、例えば、端部ＥＧ１１、ＥＧ２１、及び、ＥＧ３１で囲まれた領域から表示光を出射する表示パネル等を備えている。
【００６９】
図１６は、図１に示した表示装置１の各部材の関係の実施例を示す模式図である。図１６は、図２に示した構成と比較して、主に再帰反射素子２０の構成が相違している。  
表面２０Ａは、凹部ＣＣ及び凸部ＣＶを有する凹凸面である。凸部ＣＶは、光学素子１０に向かって突出している。裏面２０Ｂは、平坦面である。凹凸面は、反射膜２２によって覆われている。すなわち、再帰反射素子２０に入射した入射光のほとんどは、表面２０Ａを透過することなく、表面２０Ａにおいて再帰反射もしくは散乱される。このとき、反射膜２２は、例えば、銀（Ａｇ）、アルミニウム（Ａｌ）、アルミニウム合金などの光反射性を呈する材料によって形成され、略均一の膜厚で形成される。また、反射膜は、その腐食を防止するための表面処理が施されても良いし、シリコン窒化物（ＳｉＮ）などの無機系材料によってコーティングされても良い。
【００７０】
表示部ＤＳＰは、図１６に示した構成においては、円偏光の表示光を光学素子１０に向けて出射する。すなわち、表示パネルＰＮＬは、表示画像Ｉ０を表す表示光を出射し、このとき、表示光は円偏光である。
【００７１】
位相差板ＲＢは、光学素子１０と略平行に配置されている。このような位相差板ＲＢは、例えば、透過光に約λ／４の位相差を付与するλ／４板である。ここで、λは、透過光の波長である。詳細については省略するが、位相差板ＲＢは、その遅相軸が直線偏光の偏光面に対して４５°の角度で交差するように配置される。  
なお、図示した例では、位相差板ＲＢは、光学素子１０に接着されているが、光学素子１０から離れて配置されていても良い。  
このような実施例においても上記したのと同様の効果を得ることができる。
【００７２】
図１７は、図１６に示した表示装置１を構成する各構成の機能を説明するための図である。ここでは、図１６を参照して、表示部ＤＳＰから出射された表示光の光路について説明する。  
表示部ＤＳＰは、表示画像Ｉ０の表示光に相当する円偏光を出射する。この円偏光は、位相差板ＲＢを透過し、第２直線偏光に変換される。
【００７３】
光学素子１０において反射された第２直線偏光は、再び位相差板ＲＢを透過し円偏光に変換される。円偏光は、再帰反射素子２０に入射し、図９に示したような反射面２３Ａ乃至２３Ｃにおいて３回反射される。すなわち、再帰反射素子２０に入射した円偏光は再帰反射される。再帰反射された反射光は、円偏光である。そして、この円偏光は、再び、位相差板ＲＢを透過し、第１直線偏光に変換される。この第１直線偏光は、光学素子１０を透過し、表示画像Ｉ０を表す空中像Ｉ１として結像される。観察者は、光学素子１０を透過した第１直線偏光の進行方向と対向する方向から空中に浮かぶ空中像Ｉ１を観察することができる。  
このような実施例においても上記したのと同様の効果を得ることができる。
【００７４】
以上説明したように、本実施形態によれば、表示品位の劣化を抑制することが可能な表示装置を得ることができる。
【００７５】
なお、本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【００７６】
本明細書にて開示した構成から得られる照明装置及び液晶表示装置の一例を以下に付記する。  
（１）表示光を出射する表示部と、  
第１直線偏光を透過する透過軸を有し、前記透過軸と交差する第２直線偏光を反射する光学素子と、
前記表示光を再帰反射する再帰反射素子と、を備え、  
前記再帰反射素子は、  
第１平面を有する第１部分及び第２平面を有する第２部分と、  
前記第１平面と前記第２平面との間に配置される第３部分と、を有し、  
前記第１平面及び前記第２平面のなす角度は０°より大きく１８０°より小さい、表示装置である。  
（２）前記表示部及び前記再帰反射素子は第１方向に並び、前記表示部及び前記再帰反射素子のなす角度は０°より大きく１８０°より小さく、  
前記第１平面及び前記第２平面は前記第１方向に交差する第２方向に並び、前記第１平面及び前記第２平面のなす角度は鋭角である、（１）に記載の表示装置である。  
（３）前記第３部分は、直線状、又は、多角形状である、（１）又は（２）に記載の表示装置である。  
（４）表示光を出射する表示部と、  
前記表示光を再帰反射する再帰反射素子と、を備え、  
第１直線偏光を透過する透過軸を有し、前記透過軸と交差する第２直線偏光を反射する光学素子と、
前記再帰反射素子は、  
凹状の第１部分及び凹状の第２部分と、  
前記第１部分と前記第２部分との間に配置された凸状の第３部分と、を有する表示装置である。  
（５）前記表示部及び前記再帰反射素子は第１方向に並び、前記表示部及び前記再帰反射素子のなす角度は０°より大きく１８０°より小さく、  
前記第１部分、前記第３部分、及び、前記第２部分は、この順に、前記第１方向に交差する第２方向に並んでいる、（４）に記載の表示装置である。  
（６）さらに、第１直線偏光を透過する透過軸を有し、前記透過軸と交差する第２直線偏光を反射する光学素子を備え、  
前記第１部分は、前記第３部分よりも前記光学素子側に第１端部を有し、  
前記第２部分は、前記第３部分よりも前記光学素子側に第２端部を有し、  
前記第１端部及び前記第２端部は第２方向に並び、  
第１位置における前記第１端部と前記第２端部との前記第２方向に沿った第１間隔は、前記第１位置よりも前記表示部から離間した第２位置における前記第１端部と前記第２端部との前記第２方向に沿った第２間隔よりも大きい、（１）乃至（５）の何れか１つに記載の表示装置である。  
（７）前記第１間隔は、前記第３部分の前記第２方向に沿った幅より大きい、（６）に記載の表示装置である。  
（８）前記第１端部及び前記第２端部の各々は、単一の直線状、又は、単一の曲線状に形成されている、（６）に記載の表示装置である。
（９）前記第１平面は、前記再帰反射素子の面積の約４０％以上であり、前記第２平面は、前記再帰反射素子の面積の約４０％以上である、（１）乃至（８）の何れか１項に記載の表示装置である。
（１０）表示光を出射する表示部と、
第１直線偏光を透過する透過軸を有し、前記透過軸と交差する第２直線偏光を反射する光学素子と、
前記表示光を再帰反射する再帰反射素子と、を備え、
前記再帰反射素子は、
第１平面を有する第１部分及び第２平面を有する第２部分と、
を有し、
前記第１平面及び第２平面は、線で交わっており、
前記第１平面及び前記第２平面のなす角度は０°より大きく１８０°より小さい、表示装置。
（１１）表示光を出射する表示部と、
第１直線偏光を透過する透過軸を有し、前記透過軸と交差する第２直線偏光を反射する光学素子と、
前記表示光を再帰反射する再帰反射素子と、を備え、
前記再帰反射素子は、
第１平面を有する第１部分及び第２平面を有する第２部分と、
前記第１平面と第２平面との間に設けられ、多角形状の第３平面を有する第３部分と、
を有し、
前記第１平面及び前記第２平面のなす角度は０°より大きく１８０°より小さい、表示装置。
【符号の説明】
【００７７】
１…表示装置、ＤＳＰ…表示部、２０…再帰反射素子、２３…再帰反射体、
Ｐ１…第１部分、Ｐ２…第２部分、Ｐ３…第３部分、ＳＦ１…第１平面、ＳＦ２…第２平面、θ１、θ２…角度、Ｄ１…第１方向、Ｄ２…第２方向、１０…光学素子、
ＥＧ１…第１端部、ＥＧ２…第２端部、Ｌ１…間隔、Ｗ…幅。
【図１】
2018132712.tif 000003
【図２】
2018132712.tif 000004
【図３】
2018132712.tif 000005
【図４】
2018132712.tif 000006
【図５】
2018132712.tif 000007
【図６】
2018132712.tif 000008
【図７】
2018132712.tif 000009
【図８】
2018132712.tif 000010
【図９】
2018132712.tif 000011
【図１０】
2018132712.tif 000012
【図１１】
2018132712.tif 000013
【図１２】
2018132712.tif 000014
【図１３】
2018132712.tif 000015
【図１４】
2018132712.tif 000016
【図１５】
2018132712.tif 000017
【図１６】
2018132712.tif 000018
【図１７】
2018132712.tif 000019